【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
複数の遊技機と、該複数の遊技機に対応して設けられ遊技球を計数する計数装置と、を備えた遊技島に設けられ、遊技球を揚送する揚送装置において、
略円弧状に形成されたアール状通路を有し、
該アール状通路は、
前記遊技球の直径よりも広い間隔で離間配置され、該遊技球を案内するためのガイド部と、
隣り合う前記ガイド部との間に前記遊技球の直径よりも狭い間隙を設けて配置され、前記遊技球を押圧するための押圧面部を有する押圧体と、を備えて形成され、
前記押圧面部の少なくとも一部は前記ガイド部間に弾性変形可能に形成され、
前記押圧体は平板部を有してなり、
前記平板部にそれぞれ形成した貫通穴に挿通ピンを挿通可能である
ことを特徴とする揚送装置。
【請求項２】
複数の遊技機と、該複数の遊技機に対応して設けられ遊技球を計数する計数装置と、を備えた遊技島に設けられ、遊技球を揚送する揚送装置において、
略円弧状に形成されたアール状通路を有し、
該アール状通路は、
前記遊技球の直径よりも広い間隔で離間配置され、該遊技球を案内するためのガイド部と、
隣り合う前記ガイド部との間に前記遊技球の直径よりも狭い間隙を設けて配置され、前記遊技球を押圧するための押圧面部を有する押圧体と、を備えて形成され、
前記押圧面部を除く押圧体の一部は、弾性変形可能に形成されてなり、前記押圧面部を除く押圧体の一部が弾性変形することにより前記押圧面部が前記ガイド部間に移動可能に形成され、
前記押圧体は平板部を有してなり、
前記平板部にそれぞれ形成した貫通穴に挿通ピンを挿通可能である
ことを特徴とする揚送装置。
【請求項３】
複数の遊技機と、該複数の遊技機に対応して設けられ遊技球を計数する計数装置と、を備えた遊技島に設けられ、遊技球を揚送する揚送装置において、
略円弧状に形成されたアール状通路を有し、
該アール状通路は、
前記遊技球の直径よりも広い間隔で離間配置され、該遊技球を案内するためのガイド部と、
隣り合う前記ガイド部との間に前記遊技球の直径よりも狭い間隙を設けて配置され、前記遊技球を押圧するための押圧面部を有する押圧体と、を備えて形成され、
前記押圧体を弾性力により保持する保持部を備え、前記押圧体が前記保持部の弾性力に抗して移動することにより前記押圧面部が前記ガイド部間に移動可能に形成され、
前記押圧体は平板部を有してなり、
前記平板部にそれぞれ形成した貫通穴に挿通ピンを挿通可能である
ことを特徴とする揚送装置。
【手続補正２】
【補正対象書類名】明細書
【補正対象項目名】発明の名称
【補正方法】変更
【補正の内容】
【発明の名称】揚送装置
【手続補正３】
【補正対象書類名】明細書
【補正対象項目名】０００１
【補正方法】変更
【補正の内容】
【０００１】
本発明は、複数の遊技機と、該複数の遊技機に対応して設けられ遊技球を計数する計数装置と、を備えた遊技島に設けられ、遊技球を揚送する揚送装置に関する。
【手続補正４】
【補正対象書類名】明細書
【補正対象項目名】０００６
【補正方法】変更
【補正の内容】
【０００６】
本発明は、このような問題点に着目してなされたものであり、揚送される遊技球に適宜な付勢力を付与できる揚送装置を提供することを目的とする。
【手続補正５】
【補正対象書類名】明細書
【補正対象項目名】０００７
【補正方法】変更
【補正の内容】
【０００７】
上記課題を解決するために、本発明の請求項１に記載の揚送装置は、
複数の遊技機と、該複数の遊技機に対応して設けられ遊技球を計数する計数装置と、を備えた遊技島に設けられ、遊技球を揚送する揚送装置において、
略円弧状に形成されたアール状通路を有し、
該アール状通路は、
前記遊技球の直径よりも広い間隔で離間配置され、該遊技球を案内するためのガイド部と、
隣り合う前記ガイド部との間に前記遊技球の直径よりも狭い間隙を設けて配置され、前記遊技球を押圧するための押圧面部を有する押圧体と、を備えて形成され、
前記押圧面部の少なくとも一部は前記ガイド部間に弾性変形可能に形成され、
前記押圧体は平板部を有してなり、
前記平板部にそれぞれ形成した貫通穴に挿通ピンを挿通可能である
ことを特徴としている。
また、本発明の請求項２に記載の揚送装置は、
複数の遊技機と、該複数の遊技機に対応して設けられ遊技球を計数する計数装置と、を備えた遊技島に設けられ、遊技球を揚送する揚送装置において、
略円弧状に形成されたアール状通路を有し、
該アール状通路は、
前記遊技球の直径よりも広い間隔で離間配置され、該遊技球を案内するためのガイド部と、
隣り合う前記ガイド部との間に前記遊技球の直径よりも狭い間隙を設けて配置され、前記遊技球を押圧するための押圧面部を有する押圧体と、を備えて形成され、
前記押圧面部を除く押圧体の一部は、弾性変形可能に形成されてなり、前記押圧面部を除く押圧体の一部が弾性変形することにより前記押圧面部が前記ガイド部間に移動可能に形成され、
前記押圧体は平板部を有してなり、
前記平板部にそれぞれ形成した貫通穴に挿通ピンを挿通可能である
ことを特徴としている。
また、本発明の請求項３に記載の揚送装置は、
複数の遊技機と、該複数の遊技機に対応して設けられ遊技球を計数する計数装置と、を備えた遊技島に設けられ、遊技球を揚送する揚送装置において、
略円弧状に形成されたアール状通路を有し、
該アール状通路は、
前記遊技球の直径よりも広い間隔で離間配置され、該遊技球を案内するためのガイド部と、
隣り合う前記ガイド部との間に前記遊技球の直径よりも狭い間隙を設けて配置され、前記遊技球を押圧するための押圧面部を有する押圧体と、を備えて形成され、
前記押圧体を弾性力により保持する保持部を備え、前記押圧体が前記保持部の弾性力に抗して移動することにより前記押圧面部が前記ガイド部間に移動可能に形成され、
前記押圧体は平板部を有してなり、
前記平板部にそれぞれ形成した貫通穴に挿通ピンを挿通可能である
ことを特徴としている。
また、本発明の揚送装置は、
本体と、該本体に開閉自在に備えられたカバーと、前記本体の上下に互いに同一方向に向けてそれぞれ支持された上部ローラと下部ローラと、前記上部ローラと前記下部ローラとの間に巻き回された無端の搬送ベルトと、前記カバーの内側に備えられた清浄用摺接部と、前記下部ローラの周面に沿った湾曲部を有する搬送面が形成され、前記下部ローラに押圧された前記搬送ベルトと前記搬送面とで挟持した遊技球を前記本体と前記カバーとの間へ搬送するアール状通路部と、を備え、
複数の遊技機と、該複数の遊技機に対応して設けられ遊技球を計数する計数装置と、を備えた遊技島に設けられる揚送装置において、
前記アール状通路部は、前記搬送面と前記搬送ベルトの外面との間隔が所定に保たれるように設けられ、
前記遊技球の直径よりも広い間隔で離間配置され、遊技球を案内するためのガイド部を備え、
前記搬送面を有する搬送面構成部は、隣り合う前記ガイド部との間に前記遊技球の直径よりも狭い間隙を設けて配置され、前記搬送面の少なくとも一部は前記ガイド部間に弾性変形可能に形成されてなり、
前記遊技球は、前記搬送ベルトによって、この搬送ベルトの外面との間隔が所定に保たれた前記アール状通路部の前記搬送面に押し付けられて搬送され、
前記ガイド部と前記搬送面構成部とに貫通穴が形成されるとともに、該貫通穴には貫通ピンが挿入され、
前記搬送面構成部の貫通穴は前記貫通ピンよりも大径に形成され、該搬送面構成部の貫通穴には環状のリングが嵌挿されており、前記貫通ピンは前記リングに挿入される
ことを特徴としている。
この特徴によれば、揚送される遊技球に適宜な付勢力を付与できる。
【手続補正６】
【補正対象書類名】明細書
【補正対象項目名】０００８
【補正方法】変更
【補正の内容】
【０００８】
また、本発明の揚送装置は、
本体と、該本体に開閉自在に備えられたカバーと、前記本体の上下に互いに同一方向に向けてそれぞれ支持された上部ローラと下部ローラと、前記上部ローラと前記下部ローラとの間に巻き回された無端の搬送ベルトと、前記カバーの内側に備えられた清浄用摺接部と、前記下部ローラの周面に沿った湾曲部を有する搬送面が形成され、前記下部ローラに押圧された前記搬送ベルトと前記搬送面とで挟持した遊技球を前記本体と前記カバーとの間へ搬送するアール状通路部と、を備え、
複数の遊技機と、該複数の遊技機に対応して設けられ遊技球を計数する計数装置と、を備えた遊技島に設けられる揚送装置において、
前記アール状通路部は、前記搬送面と前記搬送ベルトの外面との間隔が所定に保たれるように設けられ、
前記遊技球の直径よりも広い間隔で離間配置され、遊技球を案内するためのガイド部を備え、
前記搬送面を有する搬送面構成部は、隣り合う前記ガイド部との間に前記遊技球の直径よりも狭い間隙を設けて配置され、前記搬送面を除く一部は弾性変形可能に形成され、該搬送面を除く一部が弾性変形することにより前記搬送面が前記ガイド部間に移動可能に形成されてなり、
前記遊技球は、前記搬送ベルトによって、この搬送ベルトの外面との間隔が所定に保たれた前記アール状通路部の前記搬送面に押し付けられて搬送され、
前記ガイド部と前記搬送面構成部とに貫通穴が形成されるとともに、該貫通穴には貫通ピンが挿入され、
前記搬送面構成部の貫通穴は前記貫通ピンよりも大径に形成され、該搬送面構成部の貫通穴には環状のリングが嵌挿されており、前記貫通ピンは前記リングに挿入される
ことを特徴としている。
この特徴によれば、揚送される遊技球に適宜な付勢力を付与できる。
【手続補正７】
【補正対象書類名】明細書
【補正対象項目名】０００９
【補正方法】変更
【補正の内容】
【０００９】
また、本発明の揚送装置は、
本体と、該本体に開閉自在に備えられたカバーと、前記本体の上下に互いに同一方向に向けてそれぞれ支持された上部ローラと下部ローラと、前記上部ローラと前記下部ローラとの間に巻き回された無端の搬送ベルトと、前記カバーの内側に備えられた清浄用摺接部と、前記下部ローラの周面に沿った湾曲部を有する搬送面が形成され、前記下部ローラに押圧された前記搬送ベルトと前記搬送面とで挟持した遊技球を前記本体と前記カバーとの間へ搬送するアール状通路部と、を備え、
複数の遊技機と、該複数の遊技機に対応して設けられ遊技球を計数する計数装置と、を備えた遊技島に設けられる揚送装置において、
前記アール状通路部は、前記搬送面と前記搬送ベルトの外面との間隔が所定に保たれるように設けられ、
前記遊技球の直径よりも広い間隔で離間配置され、遊技球を案内するためのガイド部を備え、
前記搬送面を有する搬送面構成部は、隣り合う前記ガイド部との間に前記遊技球の直径よりも狭い間隙を設けて配置され、
前記搬送面構成部を弾性力により保持する保持部を備え、
前記搬送面構成部が前記保持部の弾性力に抗して移動することにより前記搬送面が前記ガイド部間に移動可能に形成されてなり、
前記遊技球は、前記搬送ベルトによって、この搬送ベルトの外面との間隔が所定に保たれた前記アール状通路部の前記搬送面に押し付けられて搬送され、
前記ガイド部と前記搬送面構成部とに貫通穴が形成されるとともに、該貫通穴には貫通ピンが挿入され、
前記搬送面構成部の貫通穴は前記貫通ピンよりも大径に形成され、該搬送面構成部の貫通穴には環状のリングが嵌挿されており、前記貫通ピンは前記リングに挿入される
ことを特徴としている。
この特徴によれば、揚送される遊技球に適宜な付勢力を付与できる。